(57)【要約】 【課題】  本発明は、配管工事の際、斜め４５°方向に配管するのに必要な長さを、縦又は横の長さから簡単に、しかも正確に求めることができるルート表示付メジャーを提供することを目的とするものである。【解決手段】  本発明は、本発明は、上記の課題を解決するために、巻尺の表面には実寸法の目盛を付けるとともに、前記巻尺の裏面には１／√２の寸法の目盛を付けたことを特徴とするルート表示付メジャーの構成及び巻尺の表面の上段には実寸法の目盛を付けるとともに、前記巻尺の表面の下段には１／√２の寸法の目盛を付けたことを特徴とするルート表示付メジャーの構成とした。【選択図】  図５
2005265430.tif 000002
【特許請求の範囲】
【請求項１】
巻尺の表面には実寸法の目盛を付けるとともに、前記巻尺の裏面には１／√２の寸法の目盛を付けたことを特徴とするルート表示付メジャー。
【請求項２】
巻尺の表面の上段には実寸法の目盛を付けるとともに、前記巻尺の表面の下段には１／√２の寸法の目盛を付けたことを特徴とするルート表示付メジャー。
【発明の詳細な説明】
【技術分野】
【０００１】
本発明は、配管工事の際に対角線の寸法を簡単に計測できるルート表示付メジャーに関する発明である。
【背景技術】
【０００２】
メジャーは、ステンレス等の薄い金属片の表面に目盛を記載して、本体の中に巻き付けて収納可能にしたものが一般に使用されている。従来のメジャーにおいては、斜め４５°の対角線の寸法を出したい場合は、縦又は横の長さから計算によって求めている。
【０００３】
メジャーについては、特許文献１記載の考案のように、表面には実寸法の目盛を記載し、裏面には√２の寸法を記載して、縦又は横の寸法から対角線の寸法を得ることができる対角線４５度巻尺という考案も公開されている。
【特許文献１】実用新案登録第３０９６２８９号公報
【０００４】
図１１は、従来の対角線４５度巻尺の表面及び裏面を示す図である。対角線４５度巻尺９は、巻尺９ａの表面には従来と同様に実目盛９ｂを記載し、裏面には√２目盛９ｃを記載する。
【０００５】
裏面の√２目盛９ｃの一目盛は、表面の実目盛９ｂの一目盛の√２倍、即ち約１．４１倍となっている。斜め４５°の対角線の長さは縦又は横の長さの√２倍となっているため、縦又は横の長さから対角線の長さを求めることができる。
【発明の開示】
【発明が解決しようとする課題】
【０００６】
しかしながら、配管工事においては、ほとんどの長さが簡単な足し算や引き算で計算でき、斜め４５°の対角線の場合も電卓を使わず、暗算や紙に書いて計算するため、非常に時間が掛かり、間違うことも多い。
【０００７】
また、対角線４５度巻尺を使用した場合でも、まず縦又は横の長さを実目盛９ｂで計り、それに対応する√２目盛９ｃの位置の実寸法を、更に実目盛９ｂで計るというものであるため、手間が掛かってしまう。
【０００８】
そこで、本発明は、配管工事の際、斜め４５°方向に配管するのに必要な長さを、縦又は横の長さから簡単に、しかも正確に求めることができるルート表示付メジャーを提供することを目的とするものである。
【課題を解決するための手段】
【０００９】
本発明は、上記の課題を解決するために、巻尺の表面には実寸法の目盛を付けるとともに、前記巻尺の裏面には１／√２の寸法の目盛を付けたことを特徴とするルート表示付メジャーの構成及び巻尺の表面の上段には実寸法の目盛を付けるとともに、前記巻尺の表面の下段には１／√２の寸法の目盛を付けたことを特徴とするルート表示付メジャーの構成とした。
【発明の効果】
【００１０】
本発明は、以上の構成であるから以下の効果が得られる。第１に、裏面の寸法が１／√２なので、縦又は横の長さを裏面の１／√２目盛で計測するだけで、そのまま斜め４５°の対角線の長さを求めることができる。
【００１１】
第２に、厳密にパイプの端を求めるための位置を基準点としなくても、計測しやすい位置で得た値に、あらかじめ把握しておいた誤差を考慮すれば、簡単に配管するパイプ長を得ることができる。
【発明を実施するための最良の形態】
【００１２】
配管工事において、一部を斜め４５°に向けて配管する際は、４５°継手を使用して配管するが、継手と継手の間を繋ぐためのパイプの寸法を簡単に、しかも正確に求めることができる。
【実施例１】
【００１３】
以下に、添付図面に基づいて、本発明であるルート表示付メジャーについて詳細に説明する。ルート表示付メジャー１は、表面に実寸法の目盛及び裏面に１／√２の寸法の目盛を付けたことを特徴とする。
【００１４】
図１は、本発明であるルート表示付メジャーの正面図である。ルート表示付メジャー１は、本体２、巻尺３、爪４及び紐５からなる。巻尺３については、未使用時は本体２に収納されているため、図１では表示されていない。
【００１５】
本体２は、巻尺３を覆うカバーであり、ルート表示付メジャー１を使用しないときは、巻尺３を内部に巻き付けることで、小さく収納しておくためのものである。巻尺３をまとめておけるので、持ち運びに便利である。
【００１６】
巻尺３は、従来のメジャーと同様、ステンレス等の薄い金属片の表面及び裏面に目盛を付けたもので、本体２の中に巻き付けるように収納されており、爪４を引くことで延ばすことができる。
【００１７】
爪４は、巻尺３の先端を掛けておくためのもので、巻尺３の先端を手で押さえなくても留めておくことができる。爪４を掛けた状態で巻尺３を引き出していき、巻尺３の目盛を計測する。
【００１８】
紐５は、ルート表示付メジャー１を携帯したりしやすいように本体２に輪状に取り付けたものである。紐５を手で持ってぶら下げたり、壁のフック等に掛けておいたりすることができる。
【００１９】
図２は、本発明であるルート表示付メジャーの平面図である。ルート表示付メジャー１から巻尺３を引き出した状態を示したものである。また、本体２上部には、巻尺３を収納するためのレバー２ａも設けられる。
【００２０】
爪４を掛けながらルート表示付メジャー１を引くことで、巻尺３が内部から出て延びる。メジャーには、爪４を放すことでバネ等の力で自動的に巻き戻すものもあるが、ルート表示付メジャー１は、レバー２ａを押すことで巻き戻す。
【００２１】
爪４は、金属等で出来ており、直角に連設する留具４ａによって巻尺３の先端に取り付けられる。巻尺３の目盛は爪４の内側が始点になるように振られ、爪４を掛けた位置からの長さを計測できる。
【００２２】
レバー２ａは、延びた巻尺３を本体２内に巻き戻すためのスイッチである。レバー２ａには指を掛けるための突出した箇所があり、押す際に滑らないように、表面には小さな突起が複数存在する。
【００２３】
図３は、本発明であるルート表示付メジャーの表面を示す図である。爪４を下側に掛けた際に上に来るのが表面である。巻尺３の表面には、実目盛３ａが１ミリメートル単位で振られる。
【００２４】
実目盛３ａは、従来のメジャー同様、実際の正確な寸法であり、計測しやすいように５ミリメートル単位で長い線で示され、１センチメートル単位で数字が付される等の表記がされる。
【００２５】
図４は、本発明であるルート表示付メジャーの裏面を示す図である。図３のルート表示付メジャー１をひっくり返し、爪４を上側に向けた際に上に来るのが裏面である。巻尺３の裏面には、１／√２目盛３ｂが振られる。
【００２６】
１／√２目盛３ｂは、実際の寸法の１／√２の間隔で目盛が付される。一目盛は実目盛３ａでは１ミリメートルだが、１／√２目盛３ｂでは１／√２、即ち約０．７１ミリメートルになる。
【００２７】
図５は、本発明であるルート表示付メジャーの表裏の比較を示す図である。巻尺３の表面の実目盛３ａと裏面の１／√２目盛３ｂの目盛の振り方を比較６できるように並べたものである。
【００２８】
比較６は、上段が実目盛３ａで、下段が１／√２目盛３ｂであり、点線をゼロの位置として基準にする。１／√２目盛３ｂは実目盛３ａに比べ、間隔が狭くなっているため、実際の長さより大きい値を示す。
【００２９】
例えば、実目盛３ａで１センチメートルの長さのものは、１／√２目盛３ｂでは約１．４１の位置を示す。即ち、１／√２目盛３ｂで計ることにより、実際の寸法の√２倍の値を求めることができる。
【００３０】
図６は、本発明であるルート表示付メジャーの寸法の計り方を示す図である。計り方７は、配管工事において、上パイプ８と下パイプ８ａの間を配管８ｂする際の長さを求める場合である。
【００３１】
計り方７では、まず下パイプ８ａのみが存在し、４５°継手で斜めに延ばした後、上パイプ８を繋いでいく。上パイプ８も既に存在している場合は、直接配管８ｂする長さを求めることができるので意味がない。
【００３２】
上パイプ８が通る位置は設計の段階で決められるので、上パイプ８及び下パイプ８ａの中心の位置が把握しやすく、上継手８ｃ及び下継手８ｄを接続した際に角度が変わる位置となる上基準点７ａ、下基準点７ｂを基準にする。
【００３３】
上パイプ８及び下パイプ８ａの先端に、途中で４５°に向きが変わる上継手８ｃ及び下継手８ｄを嵌め込み、上継手８ｃの上開口縁８ｅと下継手８ｄの下開口縁８ｆの間に配管８ｂする場合の長さを求める。
【００３４】
上基準点７ａと下基準点７ｂの間の横寸法７ｃ又は縦寸法７ｄから対角線寸法７ｅを求める。まだ上パイプ８が存在しない時点で斜め方向の長さを測定するのは困難であるが、水平又は垂直方向の長さを測定するのは容易である。
【００３５】
尚、予め横寸法７ｃと縦寸法７ｄの長さが一致するように上パイプ８及び下パイプ８ａの高さ等を調整する。上継手８ｃ及び下継手８ｄは４５°に傾いているので、上開口縁８ｅ及び下開口縁８ｆを一直線上にするためである。
【００３６】
横寸法７ｃと縦寸法７ｄが交わる点を頂点７ｆとすると、上基準点７ａ、下基準点７ｂ及び頂点７ｆを結ぶと直角二等辺三角形となり、対角線寸法７ｅの長さは、横寸法７ｃ又は縦寸法７ｄの√２倍の長さである。
【００３７】
逆に言えば、横寸法７ｃ又は縦寸法７ｄの長さは、対角線寸法７ｅの１／√２の長さであり、対角線寸法７ｅを１／√２の長さに縮小したものが、横寸法７ｃ又は縦寸法７ｄと一致する。
【００３８】
従って、ルート表示付メジャー１の巻尺３の裏面に記載された１／√２目盛３ｂで横寸法７ｃ又は縦寸法７ｄの長さを計測すれば、実際には対角線寸法７ｅの長さと一致する値を示す。
【００３９】
直接に対角線寸法７ｅの長さを計測することが困難である場合には、横寸法７ｃ又は縦寸法７ｄの長さを計測することで、対角線寸法７ｅの長さの即時に求めることができるので、非常に便利である。
【実施例２】
【００４０】
図７は、本発明であるルート表示付メジャーの表面に両方の目盛を記載した場合を示す図である。ルート表示付メジャー１ａは、巻尺３の上部には実目盛３ａを記載し、下部には１／√２目盛３ｂを記載したものである。
【００４１】
表面に実目盛３ａ及び１／√２目盛３ｂの両方を記載しているので、図６における横寸法７ｃ又は縦寸法７ｄの長さを実目盛３ａで計ると同時に、１／√２目盛３ｂで対角線寸法７ｅの長さも知ることができる。
【００４２】
横寸法７ｃ又は縦寸法７ｄの長さと対角線寸法７ｅの長さの両方を求めたい場合には、表面で横寸法７ｃ又は縦寸法７ｄを計測した後、裏面にひっくり返して対角線寸法７ｅを調べ直す手間が省けるので、作業が迅速化する。
【００４３】
また、実目盛３ａ及び１／√２目盛３ｂの両方が記載されているので、実目盛３ａに対する√２倍の値を１／√２目盛３ｂによって知ることができ、対応表的な役割も果たすことができる。
【実施例３】
【００４４】
図６において、上基準点７ａ及び下基準点７ｂを上継手８ｃ及び下継手８ｄの中心の位置としたが、実際に配管８ｂするパイプは上開口縁８ｅ及び下開口縁８ｆの奥の位置までで、上基準点７ａ及び下基準点７ｂまでは入らない。
【００４５】
また、上基準点７ａ及び下基準点７ｂの位置を正確に把握しづらいために、上開口縁８ｅ及び下開口縁８ｆの端の位置を基準として、配管８ｂに必要な長さを計測したいという場合も考えられる。
【００４６】
図８は、本発明であるルート表示付メジャーの誤差を考慮して計る場合を示す図である。実際に必要とする長さは上パイプ端１０ａから下パイプ端１０ｂであるので、対角線寸法７ｅでは若干長くなる。
【００４７】
計り方１０では、横寸法７ｃ又は縦寸法７ｄから対角線寸法７ｅを求めた際、計測結果から上差引分１０ｄ及び下差引分１０ｅを除けば、配管８ｂするパイプ長１０ｃを求めることができる。
【００４８】
上差引分１０ｄ及び下差引分１０ｅはパイプの種類により決まっているので、あらかじめ上差引分１０ｄ及び下差引分１０ｅを把握しておけば、瞬時に必要な長さを求めることができ、効率的である。
【００４９】
尚、パイプ長１０ｃは、長過ぎてしまうと接続する際に支障が生じるが、若干短くても上差引分１０ｄ及び下差引分１０ｅが存在し、しっかり接続することが可能であれば許容範囲である。
【００５０】
図９は、本発明であるルート表示付メジャーの基準点を変えて計る場合を示す図である。計り方１１では、上基準点７ａ及び下基準点７ｂではなく、上開口端１１ａ及び下開口端１１ｂを基準にしてパイプ長１０ｃを求める。
【００５１】
上開口端１１ａ及び下開口端１１ｂを基準とするので、横寸法１１ｃ及び縦寸法１１ｄの長さ並びに頂点１１ｆが、図６の場合と比べて若干内側になり、横寸法１１ｃ及び縦寸法１１ｄから対角線寸法１１ｅを得ることができる。
【００５２】
計り方１１では、対角線寸法１１ｅは実際のパイプ長１０ｃよりは若干短くなるが、計測結果に上開口深１１ｇ及び下開口深１１ｈを加えれば、配管８ｂするパイプ長１０ｃを求めることができる。
【００５３】
上開口深１１ｇ及び下開口深１１ｈもパイプの種類により決まっているので、あらかじめ上開口深１１ｇ及び下開口深１１ｈを把握しておけば、瞬時に必要な長さを求めることができ、効率的である。
【００５４】
直接にパイプ長１０ｃを求めることができない場合でも、計りやすい位置で計測した結果得た値に、あらかじめ把握しておいた誤差を考慮すれば、簡単にほぼ正確な値が得られ、作業も迅速化する。
【００５５】
尚、誤差とは、図８における上差引分１０ｄ及び下差引分１０ｅと、図９における上開口深１１ｇ及び下開口深１１ｈであり、測定結果に反映することで正確なパイプ長１０ｃを得ることができる。
【００５６】
図１０は、本発明であるルート表示付メジャーの延ばした巻尺を留めた状態を示す図である。ルート表示付メジャー１２は、ルート表示付メジャー１、１ａと同様であるが、レバー１２ｅの他にストッパー１２ｆ及びストッパー１２ｇが存在する。
【００５７】
ルート表示付メジャー１２の本体１２ａは、ルート表示付メジャー１、１ａとデザイン的に異なるだけで、機能としてはほぼ同一である。計測の際に手で持つ箇所であり、内部には巻尺１２ｂが収納される。
【００５８】
巻尺１２ｂについては、表面に実目盛３ａを付け、裏面に１／√２目盛３ｂを付けたものでも、表面に実目盛３ａ及び１／√２目盛３ｂを付けたものでも、どちらでも良い。巻尺１２ｂは簡単に折り曲がらないように、若干湾曲している。
【００５９】
爪１２ｃは、裏面側に向かって突出しているが、裏面の１／√２目盛３ｂで測る際に引っ掛かるように表面側に向けても突出させても良い。裏面側の爪１２ｃを引っ掛け、表面で計測した後、裏返して１／√２目盛３ｂを確認する方法でも構わない。
【００６０】
レバー１２ｅは、初期状態では上に上がっており、巻尺１２ｂを延ばしても放せば自動的に巻き戻す。巻尺１２ｂを延ばした状態でレバー１２ｅを下にスライドさせると、巻尺１２ｂが巻き戻さず固定することができる。レバー１２ｅを上に戻せば、巻尺１２ｂを巻き戻すことができる。
【００６１】
一時的に巻尺１２ｂを固定するものとしてストッパー１２ｆ及びストッパー１２ｇがあり、ボタンを指で押している間だけ巻尺１２ｂを留めることができ、ボタンから指を放すと巻尺１２ｂは巻き戻される。ストッパー１２ｆは巻尺１２ｂの表面を使用する場合に、また、ストッパー１２ｇは巻尺１２ｂの裏面を使用する場合に使いやすい。
【００６２】
紐１２ｄもルート表示付メジャー１、１ａと同様に本体１２ａに付けられる。その他に図１０では示されていないが、背面側にフックのようなものを取り付け、ベルト等に引っ掛けることもできる。
【００６３】
以上のように、本発明であるルート表示付メジャー１、１ａ、１２は、裏面の寸法が１／√２なので、縦又は横の長さを裏面の１／√２目盛３ｂで計測するだけで、そのまま斜め４５°の対角線の長さを求めることができる。
【００６４】
また、厳密に上下パイプ端１０ａ、１０ｂを求めるための位置を基準点としなくても、計測しやすい位置で得た値に、あらかじめ把握しておいた誤差を考慮すれば、簡単に配管８ｂするパイプ長１０ｃを得ることができる。
【産業上の利用可能性】
【００６５】
対角線が斜め４５°以外の場合においても、裏面の寸法を１／√２から適した寸法に変更することで色々な角度で使用することができる。また、配管工事以外にも様々な場面で応用することができる。
【図面の簡単な説明】
【００６６】
【図１】本発明であるルート表示付メジャーの正面図である。
【図２】本発明であるルート表示付メジャーの平面図である。
【図３】本発明であるルート表示付メジャーの表面を示す図である。
【図４】本発明であるルート表示付メジャーの裏面を示す図である。
【図５】本発明であるルート表示付メジャーの表裏の比較を示す図である。
【図６】本発明であるルート表示付メジャーの寸法の計り方を示す図である。
【図７】本発明であるルート表示付メジャーの表面に両方の目盛を記載した場合を示す図である。
【図８】本発明であるルート表示付メジャーの誤差を考慮して計る場合を示す図である。
【図９】本発明であるルート表示付メジャーの基準点を変えて計る場合を示す図である。
【図１０】本発明であるルート表示付メジャーの延ばした巻尺を留めた状態を示す図である。
【図１１】従来の対角線４５度巻尺の表面及び裏面を示す図である。
【符号の説明】
【００６７】
１        ルート表示付メジャー
１ａ      ルート表示付メジャー
２        本体
２ａ      レバー
３        巻尺
３ａ      実目盛
３ｂ      １／√２目盛
４        爪
４ａ      留具
５        紐
６        比較
７        計り方
７ａ      上基準点
７ｂ      下基準点
７ｃ      横寸法
７ｄ      縦寸法
７ｅ      対角線寸法
７ｆ      頂点
８        上パイプ
８ａ      下パイプ
８ｂ      配管
８ｃ      上継手
８ｄ      下継手
８ｅ      上開口縁
８ｆ      下開口縁
９        対角線４５度巻尺
９ａ      巻尺
９ｂ      実目盛
９ｃ      √２目盛
１０        計り方
１０ａ      上パイプ端
１０ｂ      下パイプ端
１０ｃ      パイプ長
１０ｄ      上差引分
１０ｅ      下差引分
１１        計り方
１１ａ      上開口端
１１ｂ      下開口端
１１ｃ      横寸法
１１ｄ      縦寸法
１１ｅ      対角線寸法
１１ｆ      頂点
１１ｇ      上開口深
１１ｈ      下開口深
１２        ルート表示付メジャー
１２ａ      本体
１２ｂ      巻尺
１２ｃ      爪
１２ｄ      紐
１２ｅ      レバー
１２ｆ      ストッパー
１２ｇ      ストッパー
【図１】
2005265430.tif 000003
【図２】
2005265430.tif 000004
【図３】
2005265430.tif 000005
【図４】
2005265430.tif 000006
【図５】
2005265430.tif 000007
【図６】
2005265430.tif 000008
【図７】
2005265430.tif 000009
【図８】
2005265430.tif 000010
【図９】
2005265430.tif 000011
【図１０】
2005265430.tif 000012
【図１１】
2005265430.tif 000013